(57)【特許請求の範囲】
【請求項１】
入力部と表示部とをヒンジを介し連結して折り畳み可能に構成され、前記入力部に装着された電子部品と、前記表示部に装着された電子部品とが、フレキシブルプリント基板によって接続されてなる折り畳み式携帯通信端末機であって、
前記入力部と表示部の、前記ヒンジの近傍には、前記フレキシブルプリント基板が通される挿通部がそれぞれ設けられ、これらの挿通部の少なくとも一つに、前記フレキシブルプリント基板の表裏面に当接させられる一対のパッキンが設けられ、
前記パッキンの少なくとも一つが薄肉形状に形成されて前記フレキシブルプリント基板に弾性的に当接され、かつ、前記折り畳み式携帯通信端末機の開閉動作に伴う前記フレキシブルプリント基板の移動の際に、前記パッキンが前記フレキシブルプリント基板の長さ方向に弾性変形可能となされている
ことを特徴とする折り畳み式携帯通信端末機。
【請求項２】
前記入力部には、この入力部に設けられるキーを覆う可撓性を有するシートが内装され、前記パッキンの一つが、前記シートと一体に形成されていることを特徴とする請求項１に記載の折り畳み式携帯通信端末機。
【請求項３】
前記入力部あるいは表示部が、相互に突き合わされるフロントケースとリアケースとによって構成され、前記パッキンが、前記フロントケースあるいはリアケースの内面に突設された複数のピンによって位置決め固定されていることを特徴とする請求項１または２に記載の折り畳み式携帯通信端末機。
【請求項４】
前記入力部あるいは表示部が、相互に突き合わされるフロントケースとリアケースとによって構成され、これらのフロントケースとリアケースの対向面で、前記挿通部近傍に、これらを突き合わせた状態において、相互に重畳させられるリブが形成されていることを特徴とする請求項１及至３のいずれかに記載の折り畳み式携帯通信端末機。
【請求項５】
前記フロントケースとリアケースとに係止された前記リブの重畳部分が、前記挿通部の両側部に形成されていることを特徴とする請求項４に記載の折り畳み式携帯通信端末機。
【発明の詳細な説明】
【０００１】
【発明の属する技術分野】
本発明は、たとえば、携帯電話機やＰＨＳ等の携帯通信端末機に係わり、特に、入力部と表示部と折り畳み可能に連結された折り畳み式携帯通信端末機に関するものである。
【０００２】
【従来の技術】
従来、携帯電話機やＰＨＳ等の携帯通信端末機として、図７に示すような構成のものが知られている。
この図において、符号Ｔで示す携帯通信端末機は、文字や数字等の入力や機能選択等に用いられる多数のキー９が設けられた入力部Ａと、液晶ディスプレイ等の表示手段１０が設けられた表示部Ｂとを備え、これらの入力部Ａと表示部Ｂとが、ヒンジ８によって回動可能に連結されることによって折り畳み可能となされた構成となっている。
【０００３】
そして、たとえば前記入力部Ａは、図８に示すように、相互に突き合わされるリアケース１およびフロントケース７とを備えており、これらのリアケース１とフロントケース７との間には、前記キー９等の電子部品が実装されたプリント基板５と、前記キー９に対応した凸部が形成されたシート１２とが、積層状態で収納されるようになっている。
【０００４】
また、前記プリント基板５には、このプリント基板５と前記表示部Ｂに収納されている電子部品との電気的接続をなすフレキシブルプリント基板３が接続されている。
このフレキシブルプリント基板３は、突き合わされた状態の前記リアケース１とフロントケース７の、前記ヒンジ８の部分から引き出されて、前記表示部Ｂへ導かれるようになっている。
【０００５】
【発明が解決しようとする課題】
ところで、このような従来の携帯通信端末機Ｔにあっては、つぎのような改善すべき問題点が残されている。
すなわち、前述した携帯通信端末機Ｔでは、前記入力部Ａ内の電子部品と表示部Ｂ内の電子部品とを接続するフレキシブルプリント基板３が、前記ヒンジ８を横切るように配置されている。このため、前記ヒンジ８の部分に水等の液滴が付着した場合、この液滴が前記ヒンジ８の隙間からフレキシブルプリント基板３へ浸入し、さらに、このフレキシブルプリント基板３を伝って、このフレキシブルプリント基板とコネクタとの接続部に入り込み、これによって、接点に腐食が発生し導電が絶たれることが想定されるといった問題点である。
【０００６】
本発明は、このような従来の問題点に鑑みてなされたもので、液滴が付着したとしても、フレキシブルプリント基板とコネクタとの接続部の防滴を行い得る折り畳み式携帯通信端末機を提供することを目的とする。
【０００７】
【課題を解決するための手段】
本発明の請求項１に記載の折り畳み式携帯通信端末機は、前述した目的を達成するために、入力部と表示部とをヒンジを介し連結して折り畳み可能に構成され、前記入力部に装着された電子部品と、前記表示部に装着された電子部品とが、フレキシブルプリント基板によって接続されてなる折り畳み式携帯通信端末機であって、前記入力部と表示部の、前記ヒンジの近傍には、前記フレキシブルプリント基板が通される挿通部がそれぞれ設けられ、これらの挿通部の少なくとも一つに、前記フレキシブルプリント基板の表裏面に当接させられる一対のパッキンが設けられ、
前記パッキンの少なくとも一つが薄肉形状に形成されて前記フレキシブルプリント基板に弾性的に当接され、かつ、前記折り畳み式携帯通信端末機の開閉動作に伴う前記フレキシブルプリント基板の移動の際に、前記パッキンが前記フレキシブルプリント基板の長さ方向に弾性変形可能となされていることを特徴とする。
本発明の請求項２に記載の折り畳み式携帯通信端末機は、請求項１に記載の前記入力部には、この入力部に設けられるキーを覆う可撓性を有するシートが内装され、前記パッキンの一つが、前記シートと一体に形成されていることを特徴とする。
本発明の請求項３に記載の折り畳み式携帯通信端末機は、請求項１または２に記載の前記入力部あるいは表示部が、相互に突き合わされるフロントケースとリアケースとによって構成され、前記パッキンが、前記フロントケースあるいはリアケースの内面に突設された複数のピンによって位置決め固定されていることを特徴とする。
本発明の請求項４に記載の折り畳み式携帯通信端末機は、請求項１ないし請求項３の何れかに記載の前記入力部あるいは表示部が、相互に突き合わされるフロントケースとリアケースとによって構成され、これらのフロントケースとリアケースの対向面で、前記挿通部近傍に、これらを突き合わせた状態において、相互に重畳させられるリブが形成されていることを特徴とする。
本発明の請求項５に記載の折り畳み式携帯通信端末機は、請求項４に記載の前記フロントケースとリアケースとに係止された前記リブの重畳部分が、前記挿通部の両側部に形成されていることを特徴とする。
【０００８】
【発明の実施の形態】
以下、本発明の一実施形態について、図１ないし図６を参照して説明する。
なお、以下の説明中、主構成部材は、図７と共通するため、これらの主構成部材については同一符号を用いて説明を簡略化する。
【０００９】
本実施形態に係わる携帯通信端末機Ｔは、図７と同様に、入力部Ａと表示部Ｂとがヒンジ８によって連結されて折り畳み可能に構成され、前記入力部Ａに装着されるプリント基板５と、前記表示部Ｂ内に配設されている電子部品とが、フレキシブルプリント基板３によって接続されている。
【００１０】
そして、前記入力部Ａの、前記ヒンジ８の近傍には、前記フレキシブルプリント基板３が通される挿通部１５が設けられ、この挿通部１５に、前記フレキシブルプリント基板３の表裏面に当接させられる一対のパッキン２・６が設けられている。
【００１１】
前記一方のパッキン２は、略箱形に形成されており、前記リアケース１に突設された一対のピン１５が嵌合させられることによって位置決め固定されるようになっている。
【００１２】
また、前記他方のパッキン６は、本実施形態においては、図１および図２に示すように、前記シート１２の端部に一体に形成されいるとともに、その先端部（前記フレキシブルプリント基板３に当接させられる部位）が、図３に示すように薄肉形状の舌片６１となされている。
これによって、前記舌片６１が、フレキシブルプリント基板３に弾性的に当接され、かつ、前記フレキシブルプリント基板３の長さ方向に弾性変形可能となされている。
【００１３】
また、前記プリント基板５の一端部には、図２および図３に示すように、前記フレキシブルプリント基板３と前記プリント基板５との接続をなすコネクタ４が取り付けられている。
【００１４】
また、前記表示部Ｂは、図４ないし図６に示すように、相互に突き合わされるリアケース１４およびフロントケース１３と、これが突き合わされた状態でその内部に装着され、前記表示手段１０等が実装されたプリント基板１１とを備えている。
【００１５】
前記フロントケース１３およびリアケース１４の、前記ヒンジ８の近傍には、前記フロントケース１３およびリアケース１４を突き合わせた状態において、これらの間に形成される挿通部１７が形成されており、この挿通部１７によって、前記フレキシブルプリント基板３が表示部Ｂ内へ引き込まれるようになっている。
【００１６】
また、前記フロントケース１３およびリアケース１４の対向面で、前記挿通部１７の近傍には、図６に示すように、前記フレキシブルプリント基板３の端部に当接させられるパッキン１８・１９がそれぞれ取り付けられている。そして、前記フロントケース１３に取り付けられるパッキン１８の、前記フレキシブルプリント基板３との当接部分が、薄肉形状の舌片２０となされており、この舌片２０は、前記フレキシブルプリント基板３に弾性的に接触させられ、かつ、前記フレキシブルプリント基板３の長さ方向に弾性変形可能となされている。
【００１７】
また、前記プリント基板１１の端部には、前記フレキシブルプリント基板３と前記プリント基板１１との接続をなすコネクタ２１が取り付けられている。
【００１８】
さらに、本実施形態においては、前記入力部Ａと表示部Ｂを構成するフロントケース７・１３とリアケース１・１４の対向面で、前記挿通部１５・１７の両側に、フロントケース７・１３とリアケース１・１４を相互に突き合わせた状態において相互に重畳させられるリブ２２・２３が形成されている。
【００１９】
このように構成された本実施形態に係わる携帯通信端末機Ｔにあっては、組み立てた状態において、前記入力部Ａと表示部Ｂとの間にヒンジ８を通るようにして配設されたフレキシブルプリント基板３の両端部が、それぞれ入力部Ａと表示部Ｂの内部で、かつ、ヒンジ８の近傍において、その両面にパッキン２・８・１８・１９が当接させられていることにより、前記ヒンジ８から浸入した液滴が、前記フレキシブルプリント基板３を伝って前記入力部Ａと表示部Ｂ内に浸入しようとした場合、この液滴の浸入が、前記パッキン２・８・１８・１９によって阻止される。
【００２０】
また、前記液滴が、前記フレキシブルプリント基板３以外のヒンジ８の部分から入力部Ａと表示部Ｂ内に浸入しようとした場合にあっても、その部分に、前記フロントケース７・１３とリアケース１・１４とに設けられたリブ２２・２３が当接させられていることから、前記液滴が入り込みにくくなっている。
【００２１】
この結果、通常使用時においてヒンジ８の部分に液滴が付着しても、この液滴がフレキシブルプリント基板３とコネクタ４・２１との接点へ入り込むことを防止して、この接点の保護を行うことができる。
【００２２】
また、携帯通信端末機Ｔの開閉操作によって、前記フレキシブルプリント基板３が、入力部Ａや表示部Ｂに対して相対移動させられた場合にあっても、前記パッキン６・１８の、前記フレキシブルプリント基板３との接触部分が、薄肉形状の舌片２０・６１となされていることにより、前述したフレキシブルプリント基板３の移動に際して速やかに弾性変形し、これによってフレキシブルプリント基板３が円滑に移動させられる。この結果、前記フレキシブルプリント基板３に不要な力が作用することが防止され、その損傷が防止される。
【００２３】
【発明の効果】
以上説明したように、本発明に係わる折り畳み式携帯通信端末機によれば、入力部と表示部とを連結するヒンジ部に液滴が付着したとしても、フレキシブルプリント基板とコネクタとの接点の保護を行うことができる。また、携帯通信端末機の開閉時において、フレキシブルプリント基板に不要な力が作用することを防止して、このフレキシブルプリント基板の損傷を防止することができる。しかも、前述した防滴効果を、簡素な構成によって実現することができる。
【図面の簡単な説明】
【図１】本発明の一実施形態が適用された携帯通信端末機の入力部を、フロントケース側から見た分解斜視図である。
【図２】本発明の一実施形態が適用された携帯通信端末機の入力部を、リアケース側から見た分解斜視図である。
【図３】本発明の一実施形態が適用された携帯通信端末機の入力部の、要部の縦断面拡大図である。
【図４】本発明の一実施形態が適用された携帯通信端末機の表示部を、フロントケース側から見た分解斜視図である。
【図５】本発明の一実施形態が適用された携帯通信端末機の表示部を、リアケース側から見た分解斜視図である。
【図６】本発明の一実施形態が適用された携帯通信端末機の表示部の、要部の縦断面拡大図である。
【図７】折り畳み式携帯通信端末機の一例を示す斜視図である。
【図８】一従来例における折り畳み式携帯通信端末機の入力部を、フロントケース側から見た分解斜視図である。
【符号の説明】
１  リアケース
２  パッキン
３  フレキシブルプリント基板
４  コネクタ
５  プリント基板
６  パッキン
７  フロントケース
８  ヒンジ
９  キー
１０  表示手段
１１  プリント基板
１２  シート
１３  フロントケース
１４  リアケース
１５  挿通部
１６  ピン
１７  挿通部
１８  パッキン
１９  パッキン
２０  舌片
２１  コネクタ
２２  リブ
２３  リブ
６１  舌片
Ａ  入力部
Ｂ  表示部
Ｔ  携帯通信端末機
【図１】
0003741969.tif 000002
【図２】
0003741969.tif 000003
【図３】
0003741969.tif 000004
【図４】
0003741969.tif 000005
【図５】
0003741969.tif 000006
【図６】
0003741969.tif 000007
【図７】
0003741969.tif 000008
【図８】
0003741969.tif 000009